(57)【要約】【課題】  ユーザが見苦しさを感じることなく、チャンネル切替え時にミュート状態になることを防止することができる選局装置を得る。【解決手段】  当該選局装置において、受信信号に含まれる、第１の映像データまたは第１の音声データをデコードする。また、前記受信信号に含まれる、第２の映像データまたは第２の音声データをデコードする。そして、デコードされた第１の映像データもしくは第１の音声データ、またはデコードされた第２の映像データもしくは第２の音声データを出力する。【選択図】          図１
2006180219.tif 000002
【特許請求の範囲】
【請求項１】
受信信号に含まれる、第１の映像データまたは第１の音声データをデコード出力する第１のデコード手段と、
前記受信信号に含まれる、第２の映像データまたは第２の音声データをデコードして出力する第２のデコード手段と、
前記第１のデコード手段の出力、または前記第２のデコード手段の出力のいずれかの出力を出力するスイッチ手段とを備える選局装置。
【請求項２】
前記第１のデコード手段または前記第２のデコード手段のうち、一方のデコード手段におけるデコードが行なわれている際に、他方のデコード手段においてデコードを開始した場合、前記スイッチ手段の出力を切替え可能な状態になったときに、前記スイッチ手段の出力を切替えるように前記スイッチ手段の制御を行なう制御手段を更に備える請求項１に記載の選局装置。
【請求項３】
前記切替え可能な状態になったときは、前記他方のデコード手段から、スイッチ手段の出力を切替え可能な状態であることを示す信号が入力されたときであることを特徴とする請求項２に記載の選局装置
【請求項４】
前記切替え可能な状態になったときは、所定の時間が経過したときであることを特徴とする請求項２に記載の選局装置。
【請求項５】
前記所定の時間は、前記受信信号における１つのパケットに含まれる、インターリーブされた前記第１の映像データまたは前記第２の映像データを全て受信するまでに要する時間と、前記パケットに含まれる前記第１の映像データまたは前記第２の映像データに対するデインターリーブを完了するまでに要する時間と、前記デインターリーブされた前記第１の映像データまたは前記第２の映像データを全てデコードするまでに要する時間とを積算した時間であることを特徴とする請求項４に記載の選局装置。
【請求項６】
所定の音声データが記憶される記憶手段を更に備え、
前記他方のデコード手段におけるデコードが開始される際に、前記記憶手段から前記音声データが出力されるように構成されてなる請求項２ないし５のいずれかに記載の選局装置。
【請求項７】
請求項１ないし５のいずれかに記載の選局装置と、
該選局手段におけるスイッチ手段の出力に対応する映像を表示する表示手段とを備える表示装置。
【請求項８】
請求項６に記載の選局装置と、
該選局装置におけるスイッチ手段の出力に対応する映像を表示する表示手段と、
前記音声データに対応する音声を出力する音声出力手段とを備える表示装置。
【請求項９】
前記受信信号に基づいてＯＳＤを生成するＯＳＤ生成手段と、
前記第１の映像データの映像または前記第２の映像データの映像と、前記ＯＳＤ生成手段において生成された前記ＯＳＤとを合成する合成手段とを更に備え、
前記ＯＳＤ生成手段は、前記スイッチ手段の出力の切替えが行なわれることにより、前記表示手段に表示される映像が、前記第１の映像データの映像から前記第２の映像データの映像に、または前記第２の映像データの映像から前記第１の映像データの映像に切替わる旨を示す切替えＯＳＤ画像を生成し、
前記合成手段は、前記スイッチ手段の出力の切替えが行なわれる前の映像に、前記切替えＯＳＤ画像を合成するように構成されてなる請求項７または８に記載の表示装置。
【請求項１０】
受信信号に含まれる、第１の映像データまたは第１の音声データをデコードする第１のデコードステップと、
前記受信信号に含まれる、第２の映像データまたは第２の音声データをデコードする第２のデコードステップと、
前記第１のデコードステップ、または前記第２のデコードステップのいずれかのステップにおいてデコードされた映像データまたは音声データを出力するスイッチステップとを含む選局方法。
【発明の詳細な説明】
【技術分野】
【０００１】
本発明は、選局装置に関し、特に、選局装置において選局が行なわれた際に発生するミュート状態を防止する選局装置に関する。
【背景技術】
【０００２】
従来の選局装置は、チューナが選局動作を開始してから、ＴＳ分離部で画像データが取得されてデコーダで画像データが復号化されるまでの間、メモリ内に格納された画像データが画像重畳装置で読み出され、画像出力装置に送出されて再生される。そして、デコーダで復号化された画像データが画像重畳装置に与えられると、デコーダで復号化された画像データが画像重畳装置で選択され、所望チャンネルの映像が再生される（例えば、特許文献１）。
【０００３】
【特許文献１】特開２００２−１７６５９９号公報（第１頁、図１）
【発明の開示】
【発明が解決しようとする課題】
【０００４】
しかしながら、上述した従来の選局装置では、チャンネルの切替えが行なわれた後、次のチャンネルの映像が表示される前に所定の静止画像を表示させることでミュート状態、すなわち映像が何も表示されない状態を防止することはできるものの、ユーザが必要としない情報を表示する画像が表示される場合がある。そして、上述のような画像を表示した場合、ユーザに違和感を与えてしまう。
【０００５】
また、チャンネル切替え前の映像から前記所定の静止画像に切替わった後、さらに当該静止画像からチャンネル切替え後の映像に切替わるといったように、映像と画像との切替わりが何度も行なわれるとユーザは非常に見苦しく感じてしまう。
【０００６】
そこで、本発明は、ユーザが見苦しさを感じることなく、チャンネル切替え時にミュート状態になることを防止することができる選局装置を得ることを目的とする。
【課題を解決するための手段】
【０００７】
本発明に係る選局装置は、  受信信号に含まれる、第１の映像データまたは第１の音声データをデコードして出力する第１のデコード手段と、前記受信信号に含まれる、第２の映像データまたは第２の音声データをデコードして出力する第２のデコード手段と、前記第１のデコード手段の出力、または前記第２のデコード手段の出力のいずれかの出力を出力するスイッチ手段とを備える。
【発明の効果】
【０００８】
本発明に係る選局装置によれば、ユーザが見苦しさを感じることなく、チャンネル切替え時にミュート状態になることを防止することができる。
【発明を実施するための最良の形態】
【０００９】
実施の形態１．
図１は、実施の形態１における選局装置１００を適用した表示装置１０００の構成を示すブロック図である。当該表示装置１０００の電源が投入されると、図示しない受信手段において受信された受信信号は、図１における入力端子１を介して当該選局装置１００に入力される。そして、受信信号は第１のチューナモジュール２および第２のチューナモジュール１８に入力される。
【００１０】
第１のチューナモジュール２は、前記受信信号に含まれる各チャンネルに関する情報（以下、チャンネル情報ともいう。）を抽出して、制御手段１６に出力する。すなわち、当該受信信号に１０個のチャンネルが含まれている場合、当該第１のチューナモジュール２は１０個のチャンネル情報を制御手段１６に出力する。なお、前記チャンネル情報は、チューナモジュール２，１８においてチャンネルを特定するために必要な情報であり、例えば、各チャンネルの周波数である。また、第１のチューナモジュール２および第２のチューナモジュール１８は、復調手段、誤り訂正手段または復号手段を含んで構成される。
【００１１】
制御手段１６は、前記第１のチューナモジュール２から出力された前記チャンネル情報を記憶手段１７に出力する。具体的には、例えば、前記チャンネル情報を各チャンネルと対応付けてテーブル化し、当該テーブルに対応する信号を記憶手段１７に出力する。そして、記憶手段１７は、前記テーブルを記憶する。なお、以下の説明においては、記憶手段１７に記憶されるチャンネル情報を選局情報ともいう。また、当該選局情報は、当該選局装置１００の設計等に応じて予め設定される所定のタイミングで随時更新される。例えば、チューナモジュール２、１８においてＥＰＧ（Ｅｌｅｃｔｒｏｎｉｃ  Ｐｒｏｇｒａｍ  Ｇｕｉｄｅ）を抽出する度に前記選局情報を更新する。
【００１２】
一方、第１のチューナモジュール２は、当該表示装置１０００の電源投入時において設定されているチャンネル（以下、設定チャンネルともいう）に対応するＴＳ（Ｔｒａｎｓｐｏｒｔ  Ｓｔｒｅａｍ）を受信信号から抽出する。そして、抽出したＴＳに対して復調、誤り訂正等の処理を行なって、第１のデマルチプレクサ３に出力する。
【００１３】
第１のデマルチプレクサ３は、前記第１のチューナモジュール２から出力されたＴＳを、前記設定チャンネルの番組に対応する映像データ、音声データ、および番組付加情報に分離する。そして、映像データを第１のビデオデコーダ４に、音声データを第１のオーディオデコーダ５に、番組付加情報を制御手段１６に出力する。
【００１４】
制御手段１６は、入力された番組付加情報をＯＳＤ生成手段８に出力する。なお、前記番組付加情報は、番組のタイトル、放送局名、または番組の詳細情報（出演者、番組内容の要約説明、放送開始時間、放送終了時間、放送時間、放送日、２ヶ国語放送である旨の情報など）を含む情報である。また、前記番組付加情報は、当該制御手段１６に設ける記憶手段（図示せず）に記憶させてもよいし、前記記憶手段１７に記憶させてもよい。
【００１５】
前記第１のビデオデコーダ４は、第１のデマルチプレクサ３から出力された映像データをデコードして、当該映像データに対応する第１のアナログ映像信号を第１のビデオデコーダ４に備える記録媒体（図示せず）に出力する。そうすると、第１のアナログ映像信号に対応する映像データ（以下、第１の映像データともいう）が前記記憶媒体に格納される。なお、当該記憶媒体には、当該表示装置１０００において映像を表示するために必要な、所定数のフレームの映像データが格納される。そして、記憶媒体に格納された第１の映像データ（第１のアナログ映像信号）は、制御手段１６から出力される信号に応じて前記記憶媒体から第１のスイッチ手段６に出力された後、当該第１のスイッチ手段６を介して第１の映像調整手段７に入力される。第１の映像調整手段７は、第１のビデオデコーダ４における記録媒体から出力された第１のアナログ映像信号に対して輝度、コントラスト等の調整を行なって、映像合成回路９へ出力する。
【００１６】
ＯＳＤ生成手段８は、ＯＳＤ（Ｏｎ  Ｓｃｒｅｅｎ  Ｄｉｓｐｌａｙ）の生成に必要な情報を前記番組付加情報から抽出する。そして、抽出した情報を所定のＯＳＤフォーマットに組み込んでＯＳＤを生成する。したがって、例えば、ＯＳＤにおいて、番組のタイトルを表示する場合、ＯＳＤ生成手段８は、番組付加情報から番組のタイトルを示す情報を抽出してＯＳＤフォーマットに組み込んでＯＳＤを生成する。そして、ＯＳＤ生成手段８は、生成したＯＳＤに対応する信号（以下、ＯＳＤ信号ともいう）を映像合成手段９に出力する。
【００１７】
映像合成回路９は、第１の映像調整手段７から出力された第１のアナログ映像信号と、前記ＯＳＤ生成手段８から出力されたＯＳＤ信号とを合成して得られる合成信号を第２の映像調整手段１０に出力する。第２の映像調整手段１０は、合成信号に対して解像度変換等の調整を行なって、当該調整後の合成信号を表示手段１１に出力する。そして、表示手段１１は、前記合成信号の映像を表示する。なお、表示手段１１は、ＣＲＴ、液晶ディスプレイ、プラズマディスプレイ、ＦＥＤディスプレイ等で構成することができる。
【００１８】
第１のオーディオデコーダ５は、前記第１のデマルチプレクサ３から出力された音声データをデコードして、当該音声データに対応する第１のアナログ音声信号を第２のスイッチ回路１２に出力する。そして、前記第１のアナログ音声信号は、第２のスイッチ手段１２を介して音声調整手段１３に出力される。音声調整手段１３は、入力された第１のアナログ音声信号に対して、バランス、音質の調整を行なった後、当該調整後の第１のアナログ音声信号を増幅して音声出力手段１４に出力する。音声出力手段１４は、音声調整手段１３から入力された第１のアナログ音声信号の音声を再生して出力する。なお、当該音声出力手段は、スピーカー等の音声出力装置によって構成することができる。また、当該音声出力手段１４と前記表示手段１０００とは、一体に構成してもよいし、別個に構成してもよい。
【００１９】
通常、当該表示装置の電源投入後、ユーザによる選局、すなわちチャンネルの切替えが行なわれるまでは、上述のように表示装置１０００における各構成が動作することによって、当該表示装置１０００の電源投入時に設定されているチャンネルに対応する番組の映像または音声が再生される。
【００２０】
以下、ユーザによる選局が行なわれた後の表示装置１０００における各構成の動作について説明する。ユーザが現在視聴しているチャンネルから他のチャンネルに切替える場合、当該ユーザは操作手段２２を使用して、チャンネルの切替え、すなわち選局を行なう。なお、操作手段２２は、例えば、リモコン、当該表示装置１０００に備えるボタン等の操作部である。また、携帯電話等のように、当該表示装置１０００の付属品ではないが、当該表示装置１０００に指示を与えることが可能な機器を前記操作手段２２として使用してもよい。
【００２１】
ユーザが操作手段２２を使用して、所望のチャンネル（以下、選局チャンネルともいう。）を選局すると、当該チャンネルが選局された旨の信号（以下、選局信号という。）が操作手段２２から制御手段１６に出力される。制御手段１６は、入力された選局信号に対応する選局チャンネルと、前記記憶手段１７に記憶された前記選局情報とを対比して、前記選局チャンネルの選局情報を記憶手段１７から読み出す。そして読み出した選局情報を第２のチューナモジュール１８に出力する。
【００２２】
第２のチューナモジュール１８は、前記制御手段１６から出力された選局情報に応じて、選局チャンネルを特定し、当該選局チャンネルに対応するＴＳを受信信号から抽出する。そして、抽出したＴＳに対して復調、誤り訂正等の処理を行なって第２のデマルチプレクサ１９に出力する。
【００２３】
第２のデマルチプレクサ１９は、前記第２のチューナ１８から出力されたＴＳを、前記選局チャンネルの番組に対応する映像データ、音声データ、および番組付加情報に分離する。そして、映像データを第２のビデオデコーダ２０に、音声データを第２のオーディオデコーダ２１に、番組付加情報を制御手段１６に出力する。制御手段１６は、入力された番組付加情報をＯＳＤ生成手段８に出力する。
【００２４】
第２のオーディオデコーダ２１は、第２のデマルチプレクサ１９から出力された音声データをデコードして、当該音声データに対応する第２のアナログ音声信号を第２のスイッチ回路１２に出力する。
【００２５】
前記第２のビデオデコーダ２０は、第２のデマルチプレクサ１９から出力された映像データをデコードして、当該映像データに対応する第２のアナログ映像信号を第２のビデオデコーダ２０に備える記憶媒体（図示せず）に出力する。そうすると、第２のアナログ信号に対応する映像データ（以下、第２の映像データともいう）が前記記憶媒体に格納される。なお、前記第１のビデオデコーダ４の場合と同様に、当該記憶媒体には、当該表示装置１０００において映像を表示するために最低限必要な、所定数のフレームの映像データが格納される。
【００２６】
制御手段１６は、前記第２のビデオデコーダ２０における記録媒体に、当該表示装置１０００において映像を表示するために最低限必要な、所定数のフレームの映像データが格納されると（すなわち、当該選局装置１００において第１のスイッチ手段６の出力を切替えてもよい状態（切替え可能な状態）になると）、前記第１のスイッチ手段６に対して、当該第１のスイッチ手段６の出力を第１のアナログ映像信号から第２のアナログ映像信号に切替える旨の信号（以下、第１のスイッチ切替え信号ともいう）を出力する。また、制御手段１６は、第２のビデオデコーダ２０における記録媒体から第２の映像データ（第２のアナログ映像信号）が出力されるように信号を出力する。さらに、前記第２のスイッチ手段１２に対して、第１のアナログ音声信号から第２のアナログ音声信号に出力を切替える旨の信号（以下、第２のスイッチ切替え信号ともいう）を出力する。
【００２７】
そうすると、前記第２のビデオデコーダ２０から出力された第２のアナログ映像信号は、第１のスイッチ手段６を介して第１の映像調整手段７に入力される。また、前記第２のアナログ音声信号は、第２のスイッチ手段１２を介して音声調整手段１３に出力される。
【００２８】
なお、制御手段１６における第１のスイッチ切替え信号の出力のタイミングは、以下のように設定することができる。例えば、第２のビデオデコーダ２０において、映像データのデコードを行なうとともに、記録媒体に記録された映像データのデータ量を監視（モニター）する。そして、当該記録媒体に所定の数のフレームの映像データが格納された時に、当該第２のビデオデコーダ２０が、所定の数のフレームの映像データが格納された旨の信号を制御手段１６に出力する。そして、制御手段１６は、第２のビデオデコーダ２０から出力された信号を受信した際に、前記第１のスイッチ切替え信号を出力する。
【００２９】
また、例えば、当該制御手段１６に選局信号が入力された時点から、所定の時間が経過した時に第１のスイッチ切替え信号を出力するようにしてもよい。なお、前記所定の時間は、すなわち、前記記憶媒体において所定数のフレームに対応する映像データが格納されるまでに要する時間であり、以下のようにして設定することができる。
【００３０】
通常、デジタル放送においては、放送局において映像データ等を送信する際、当該映像データに対してインターリーブを行なう。例えば、ＢＳ／ＣＳデジタル放送の場合は最大で２秒未満、地上デジタル放送の場合は最大で３秒未満のデインターリーブが行なわれる。したがって、ある時刻において１フレーム（以下、第１のフレームともいう）に対応する映像データが得られた場合であっても、当該第１のフレームの次に表示すべきフレームに対応する映像データは、ＢＳ／ＣＳデジタル放送の場合は最大で２秒未満、地上デジタル放送の場合は最大で３秒未満経過しないと得ることができない。そこで、上述したインターリーブの時間等を考慮して前記所定の時間を設定する。例えば、前記受信手段において地上デジタル放送を受信し、前記記録媒体に３０フレームの映像データが格納された後、当該記録媒体に格納した３０フレームの映像データのデコードが終了した際に、制御手段１６から第１のスイッチ切替え信号を出力する場合には、下記（１）〜（３）に記載の時間を加算した時間を前記所定の時間として設定する。なお、当該所定の時間が経過したか否かの判断は、タイマー等を設けて計測して行なえばよい。
【００３１】
（１）１つのパケットに含まれる、インターリーブされた映像データ（３０フレーム）を全て受信するまでに要する時間（ＢＳ／ＣＳデジタル放送の場合は最大で２秒未満、地上デジタル放送の場合は最大で３秒未満）
（２）受信した１つのパケットに含まれる映像データに対するデインターリーブを完了するまでに要する時間
（３）デインターリーブされた３０フレームの映像データを全てデコードするまでに要する時間
【００３２】
第１の映像調整手段７は、第１のビデオデコーダ４から出力されたアナログ映像信号に対して輝度、コントラスト等の調整を行なって、映像合成回路９へ出力する。
【００３３】
ＯＳＤ生成手段８は、選局チャンネルに対応するＯＳＤの生成に必要な情報を前記番組付加情報から抽出する。そして、抽出した情報を所定のＯＳＤフォーマットに組み込んでＯＳＤを生成して、ＯＳＤ信号を映像合成手段９に出力する。
【００３４】
映像合成回路９は、第１の映像調整手段７から出力されたアナログ映像信号と、前記ＯＳＤ生成手段８から出力されたＯＳＤ信号とを合成して得られる合成信号を第２の映像調整手段１０に出力する。第２の映像調整手段１０は、合成信号に対して解像度変換等の調整を行なって、当該調整後の合成信号を表示手段１１に出力する。そして、表示手段１１は、前記合成信号の映像を表示する。
【００３５】
音声調整手段１３は、入力されたアナログ音声信号に対して、バランス、音質の調整を行なった後、当該調整後のアナログ音声信号を増幅して音声出力手段１４に出力する。音声出力手段１４は、音声調整手段１３から入力されたアナログ音声を再生して出力する。
【００３６】
なお、ユーザによる選局が再度行なわれた場合には、上述した、ユーザ選局後における第２のチューナモジュール１８等の動作を第１のチューナモジュール２等が行ない、制御手段１６は、上述したタイミングで、第１のスイッチ手段６に第１のスイッチ切替え信号を出力し、第２のスイッチ手段１２に第２のスイッチ切替え信号を出力する。
【００３７】
図２は、実施の形態１の表示装置１０００において表示される映像の切替わりを説明するための説明図である。当該表示装置１０００に電源が投入された後、ユーザによってチャンネルの切替えが行なわれるまでは、図２（ａ）のように、電源投入時に設定されている設定チャンネルの番組に対応する映像３１（以下、現映像３１ともいう）と、当該設定チャンネルのＯＳＤ画像３２とが合成された映像が表示手段１１に表示される。
【００３８】
そして、ユーザが操作手段２２を操作してチャンネルの切替え、すなわち、選局を行なうと、表示手段１１には、チャンネルの切替えが行なわれる旨を示すＯＳＤ画像（以下、切替えＯＳＤ画像ともいう）が表示される。なお、当該切替えＯＳＤ画像は、ＯＳＤ生成手段８において生成される。また、当該ＯＳＤ生成手段８は、制御手段１６の制御に応じて前記切替えＯＳＤ画像の生成を行なう。
【００３９】
例えば、図２（ｂ）に示すように、現映像３１に対応するチャンネルを示す第１の画像３３と、選局されたチャンネルを示す第２の画像３４とを表示する。また、図２（ｂ）に示すように、第１の画像３３から第２の画像３４への方向を示す矢印３６を示してもよい。また、現映像３１に対応する第１の画像３３を透かして表示することもできる。
【００４０】
そして、前記制御手段１６から出力された第１のスイッチ切替え信号によって、第１のスイッチ手段６のスイッチが切替えられると、表示手段１１にはユーザによって選局されたチャンネルの映像が表示される（図２（ｃ））。また、第１のスイッチ手段６のスイッチが切替えられると、ＯＳＤ画像には、第１の画像３３は表示されず、第２の画像３４が、前記第１の画像３３が表示されていた位置に表示される。
【００４１】
以上の説明のように、実施の形態１における選局装置１００によれば、チューナモジュール、デマルチプレクサ、デコーダを複数有して構成されているため、一方のチューナモジュール等を使用して映像データ等のデコードを行なっている間に、ユーザが選局を行なった場合であっても、他方のチューナ等を使用してユーザが選局したチャンネルの映像データ等をデコードすることができる。
【００４２】
また、一方のチューナ等を使用して映像データ等のデコードを行なっている間に、ユーザが選局を行なった場合、他方のチューナ等を使用してユーザが選局したチャンネルの映像データ等をデコードし、制御手段１６が上述したタイミングでスイッチの切替えを行なうので、チャンネル切替え時のミュート状態が発生しない。
【００４３】
さらに、ミュート状態の発生を防止することができるので、上述した従来の選局装置のように所定の画像を用意する必要がない。したがって、ユーザは必要としない情報を見なくてもよい。また、前記所定の画像を記憶するために必要なメモリ等を削減することができる。
【００４４】
通常、デジタル放送信号のデコードには所定の時間を要する。しかしながら、ＯＳＤの作成に要する時間は、必要な情報を抽出して所定のフォーマットに組み込めばよいため、デジタル放送信号のデコードに要する時間よりも非常に短い。したがって、ユーザが選局した後、ユーザが選局したチャンネルの映像データが表示される前に、当該選局後のチャンネルのＯＳＤが表示手段に表示されてしまう。すなわち、表示されている映像とＯＳＤとの不一致が生じてしまう。
【００４５】
しかしながら、実施の形態１における表示装置においては、図２（ｂ）に示すように、映像の切替えがされる前に映像の切替えが行なわれる旨のＯＳＤが表示される。したがって、上述のように、表示されている映像とＯＳＤとの不一致が生じない。また、ユーザは、前記図２に示すようなＯＳＤを見ることで、チャンネルの切替えを確認することができる。
【００４６】
なお、以上の説明においては、ＯＳＤとして、図２（ｂ）のようなチャンネル番号を表示させる場合について説明したが、例えば、各放送局のチャンネルロゴ、番組名称のような前記番組付加情報をＯＳＤに表示させてもよい。また、チャンネル切替え時のＯＳＤには「チャンネル切替え中です」のようにチャンネルの切替えが行なわれる旨を示すメッセージを表示させてもよい。
【００４７】
また、以上の説明においては、表示装置の電源投入後に第１のチューナが動作し、ユーザによる選局後に第２のチューナにおいて選局チャンネルのＴＳを抽出する場合について説明したが、表示装置１０００の電源投入後に第２のチューナモジュール１８が動作し、ユーザによる選局後に第１のチューナモジュール２において選局チャンネルのＴＳを抽出するように構成してもよい。
【００４８】
また、以上の説明においては、各ビデオデコーダ４，２０に記録媒体を備える場合について説明したが、当該記録媒体とビデオデコーダ４，２０とは別個に構成してもよい。また、当該記録媒体は、選局装置１００の外部に設けてもよい。
【００４９】
また、以上の説明においては、第１のビデオデコーダ４および第１のオーディオデコーダ５、または第２のビデオデコーダ２０および第２のオーディオデコーダ２１を別個に構成する場合について説明したが、第１のビデオデコーダ４および第１のオーディオデコーダ５、または第２のビデオデコーダ２０および第２のオーディオデコーダ２１は一体として構成してもよい。
【００５０】
また、以上の説明においては、第１のスイッチ手段６と第２のスイッチ手段１２とを別個に構成する場合について説明したが、第１のスイッチ手段６と第２のスイッチ手段１２とを一体として構成してもよい。
【００５１】
また、例えば、受信信号に含まれるＴＳにおいて音声データが含まれていない場合（無音声番組のように、映像に対応する音声がない場合）においては、オーディオデコーダ５，２１を動作しないように（すなわち、音声データのデコードを行なわないように）してもよい。
【００５２】
実施の形態２．
図３は実施の形態２における選局装置２００を備える表示装置２０００の構成を示すブロック図である。なお、以下の説明においては、実施の形態１において説明した構成と同様の構成については同一の符号を付記し、説明を省略する。
【００５３】
図２に示した表示装置２０００において、ユーザによる選局が行なわれると、操作手段２２から制御手段１６に選局信号（以下、第１の選局信号ともいう）が出力される。制御手段１６は、第１の選局信号が入力されると、当該表示装置２０００において選局が行なわれた旨の信号（以下、第２の選局信号ともいう）を記憶手段２７および第２のスイッチ回路２２に出力する。
【００５４】
記憶手段２７には、当該表示装置２０００において選局がされた際に、音声出力手段１４から出力する所定の音声に対応するデータ（以下、音声データともいう）が記憶されており、当該記憶手段２７は、前記第２の選局信号に応じて当該音声データを第２のスイッチ手段１２に出力する。
【００５５】
なお、前記所定の音声データは、例えば、「ピッピッ」というような効果音、または「現在チャンネル切替え中です。」のような音声メッセージである。すなわち、当該音声データは、ユーザに対してチャンネルの切替えが行なわれる旨を音声で知らせるために使用するデータである。
【００５６】
一方、第２のスイッチ手段２２は、前記第２の選局信号が入力されると、前記記憶手段２７から出力された音声データを選択して音声処理回路１３に出力するようにスイッチ（図示せず）の切替えを行なう。音声調整回路１３に入力された音声データは、バランス、音質等の調整が行なわれる。更に、当該音声調整回路１３は、バランス等の調整を行なった後の音声データに対応する信号を増幅して音声出力手段１４に出力する。そして、音声出力手段１４は、前記音声データの音声を再生して出力する。そうすると、ユーザは、当該音声を聞くことによって、当該ユーザによって行なわれた選局が表示装置２０００において行なわれることを確認する。
【００５７】
以上の説明にように、実施の形態２における選局装置２００によれば、ユーザは、音声データの音声を聞くことによって、操作手段２２を用いて行った選局が表示装置２０００に入力されたか否かを容易かつ確実に確認することができる。すなわち、当該ユーザは、図２において説明したようなＯＳＤを見なくてもチャンネルの切替えが行なわれる旨を確認することができる。また、前記ＯＳＤの表示と、音声とを確認することによって、切替えが行なわれる旨をより確実に確認することができる。
【産業上の利用可能性】
【００５８】
本発明は、特に、受信信号に含まれるデータの復調に比較的長い時間を要するデジタル放送において有効である。
【図面の簡単な説明】
【００５９】
【図１】本発明の実施の形態１における選局装置１００を適用した表示装置１０００の構成を示すブロック図である。
【図２】本発明の実施の形態１の表示装置１０００において表示される映像の切り替わりを説明するための説明図である。
【図３】本発明の実施の形態２における選局装置２００を適用した表示装置２０００の構成を示すブロック図である。
【符号の説明】
【００６０】
１  入力端子、２  第１のチューナモジュール、３  第１のデマルチプレクサ、４  第１のビデオデコーダ、５  第１のオーディオデコーダ、６  第１のスイッチ手段、７  第１の映像調整手段、８  ＯＳＤ生成手段、９  映像合成手段、１０  第２の映像調整手段、１１  表示手段、１２  第２のスイッチ手段、１３  音声調整手段、１４  音声出力手段、１６  制御手段、１７  記憶手段、１８  第２のチューナモジュール、１９  第２のデマルチプレクサ  、２０  第２のビデオデコーダ、２１  第２のオーディオデコーダ、２２  操作手段、１０００，２０００  表示装置。
【図１】
2006180219.tif 000003
【図２】
2006180219.tif 000004
【図３】
2006180219.tif 000005